(57)【要約】【課題】分解酵素を簡単に使用できるようにして、内視鏡洗浄消毒装置から漏れる過酢酸の臭気を少なくする。【解決手段】カートリッジ投入部４０に、分解液が収容されたカートリッジ４１を投入する。カートリッジ４１は、カートリッジ投入部４０内で裂開され、分解液がカートリッジ４１から漏出する。内視鏡の消毒完了後、電磁弁９０を開いてカートリッジ投入部４０内に水を供給し、水と分解液とを混合させる。分解液が混合された水は、給水路８４、給液路８２、洗浄槽３１、各循環路１１６、１１７、１１８等を循環され、消毒液９８の臭気が消臭される。【選択図】図５
2009207741.tif 000002
【特許請求の範囲】
【請求項１】
内視鏡が収容された洗浄槽内に過酢酸を供給して前記内視鏡を消毒する内視鏡洗浄消毒装置において、
前記過酢酸を分解する分解液が収容されたカートリッジが投入されるカートリッジ投入手段と、
前記カートリッジ投入手段と、前記洗浄槽を含む装置本体内の所定部位とを接続し、前記カートリッジ投入手段から前記分解液が流される分解液供給路と、
前記カートリッジ投入手段から前記分解液供給路に前記分解液を流す分解液供給手段と、
前記分解液供給手段を作動させ、前記分解液供給路から前記装置本体内の前記過酢酸が残っている所定部位に前記分解液を供給させる分解液供給制御手段とを備えたことを特徴とする内視鏡洗浄消毒装置。
【請求項２】
前記分解液供給路は、前記カートリッジ投入手段と前記洗浄槽とを接続し、
前記分解液供給制御手段は、前記内視鏡の消毒が完了し、前記過酢酸が前記洗浄槽から排出された後に前記分解液供給手段を作動させ、前記分解液供給路から前記洗浄槽内に前記分解液を供給させることを特徴とする請求項１記載の内視鏡洗浄消毒装置。
【請求項３】
前記分解液供給路は、前記カートリッジ投入手段と、前記過酢酸が貯えられている消毒液タンクとを接続し、
前記分解液供給制御手段は、前記消毒液タンクから前記過酢酸が排出される際に前記分解液供給手段を作動させ、前記分解液供給路から前記消毒液タンク内に前記分解液を供給させることを特徴とする請求項１記載の内視鏡洗浄消毒装置。
【請求項４】
前記分解液供給路は、前記カートリッジ投入手段と、前記洗浄槽に水を供給する給水路とを接続し、
前記分解液供給制御手段は、前記給水路の消毒後に前記分解液供給手段を作動させ、前記分解液供給路から前記給水路内に前記分解液を供給させることを特徴とする請求項１記載の内視鏡洗浄消毒装置。
【請求項５】
前記分解液供給路は、前記カートリッジ投入手段と、前記装置本体にセットされる過酢酸供給ボトルとを接続し、
前記分解液供給制御手段は、前記過酢酸供給ボトル内の前記過酢酸が消毒液タンクに供給された後に前記分解液供給手段を作動させ、前記分解液供給路から前記過酢酸供給ボトル内に前記分解液を供給させることを特徴とする請求項１記載の内視鏡洗浄消毒装置。
【請求項６】
内視鏡が収容された洗浄槽内に過酢酸を供給して前記内視鏡を消毒する内視鏡洗浄消毒方法において、
カートリッジ投入手段に投入されたカートリッジから前記過酢酸を分解する分解液を取り出し、前記洗浄槽を含む装置本体内で前記過酢酸が残っている所定部位に前記分解液を供給し、前記過酢酸の臭気を消臭する消臭工程を備えたことを特徴とする内視鏡洗浄消毒方法。
【請求項７】
前記消臭工程は、前記内視鏡の消毒が完了し、前記過酢酸が前記洗浄槽から排出された後に、前記洗浄槽内に前記分解液が供給されることを特徴とする請求項６記載の内視鏡洗浄消毒方法。
【請求項８】
前記消臭工程は、前記過酢酸が貯えられている消毒液タンクから前記過酢酸を排出する際に、前記消毒液タンク内に前記分解液が供給されることを特徴とする請求項６記載の内視鏡洗浄消毒方法。
【請求項９】
前記消臭工程は、前記洗浄槽に水を供給する給水路の消毒後に、前記給水路内に前記分解液が供給されることを特徴とする請求項６記載の内視鏡洗浄消毒方法。
【請求項１０】
前記消臭工程は、前記装置本体にセットされた過酢酸供給ボトルから消毒液タンク内に前記過酢酸が供給された後に、前記過酢酸供給ボトル内に前記分解液が供給されることを特徴とする請求項６記載の内視鏡洗浄消毒方法。
【発明の詳細な説明】
【技術分野】
【０００１】
本発明は、内視鏡の消毒に過酢酸を使用する内視鏡洗浄消毒装置及び方法に関する。
【背景技術】
【０００２】
生体の体腔内の検査や治療に使用される医療機器として、内視鏡が知られている。内視鏡は、体腔内に挿入される挿入部を備えている。挿入部は、可撓性を有する棒状体であり、体腔内を撮影する撮影部と、処置具が挿通される鉗子チャンネル等の各種チャンネルを備えている。使用後の内視鏡は、挿入部の外表面と各チャンネル内に体液や汚物が付着している。体液や汚物に含まれる病原菌やウイルスは院内感染の原因となるので、使用後の内視鏡は、必ず洗浄、消毒されている。
【０００３】
内視鏡の洗浄、消毒を効率的に行うため、内視鏡洗浄消毒装置が利用されている。内視鏡洗浄消毒装置は、使用後の内視鏡を洗浄槽に収容し、洗浄工程、消毒工程等の各種工程を自動的に行う。洗浄工程は、内視鏡に水、洗剤等を噴射して外表面及び各チャンネル内に付着した体液や汚物を洗い流す。洗浄工程で使用された水は、内視鏡洗浄消毒装置の外に排出される。消毒工程は、消毒液中に内視鏡を浸漬させ、洗浄工程で除去されなかった病原菌やウイルスを除去し、または病原性を消失させる。消毒工程で使用された消毒液は、消毒液が貯えられている消毒液タンクに戻される。
【０００４】
消毒液には、例えば、グルタールアルデヒト、オフトフタルアルデヒト、過酢酸等の高水準消毒剤が用いられている。グルタールアルデヒトは、内視鏡洗浄消毒装置での使用実績が最も長く、運用方法も確立されている。しかし、グルタールアルデヒトには、揮発性が高く揮発成分が人体に有害であること、耐性菌が存在すること、消毒時間が長いこと等の欠点がある。そのため、現在ではグルタールアルデヒトから、オフトフタルアルデヒトや過酢酸への切り換えが進んでいる。特に過酢酸は、消毒効果が最も高く、人体への悪影響も少ないという優れた性質をもっている。
【０００５】
過酢酸は、濃縮状態で専用の過酢酸供給ボトルに収容し、供給されている。内視鏡洗浄消毒装置には、過酢酸供給ボトルがセットされるボトル収納トレイが設けられている。ボトル収納トレイにセットされた過酢酸供給ボトルは、消毒液タンクに連通された消毒液注入路に接続される。過酢酸供給ボトル内の濃縮過酢酸は、消毒液注入路を通って消毒液タンク内に供給される。
【０００６】
過酢酸には、非常に強い臭気があり、内視鏡の洗浄、消毒の作業環境が悪化するという問題がある。従来の内視鏡洗浄消毒装置は、消毒液タンクの通気孔に活性炭フィルタを取り付け、過酢酸の臭気成分を吸着、消臭している（例えば、特許文献１、２参照）。また、内視鏡洗浄消毒装置の周辺から過酢酸の臭気を無くすため、内視鏡洗浄消毒装置が設置された部屋に換気設備を設けている。過酢酸の臭気は空気よりも重く、床の近くに滞留するため、床付近の換気を行う特殊な換気設備が必要である。
【特許文献１】特開２００７−２６７９７４号公報
【特許文献２】特開平１１−１８８０８７号公報
【発明の開示】
【発明が解決しようとする課題】
【０００７】
過酢酸の臭気は非常に強いので、活性炭フィルタで完全に消臭することは難しい。また、活性炭は、臭気成分の吸着力が低下するのが早いので、定期的に活性炭フィルタを交換しなければならない。
【０００８】
内視鏡洗浄消毒装置から過酢酸の臭気が漏れるのは、消毒液タンクの通気孔からだけではない。例えば、内視鏡の消毒完了後に洗浄槽のトップカバーを開放すると、洗浄槽内に残った過酢酸の臭気が装置外に漏れてしまう。また、消毒効果の消失した消毒液を消毒液タンクから排出する際にも過酢酸の臭気が外部に漏れる。その他、過酢酸供給ボトル内にわずかに残った過酢酸の臭気も装置外に漏れてしまう。特に、ボトル収納トレイから過酢酸供給ボトルを取り外すときに臭気が強くなる。更に、内視鏡の洗浄に用いる水を洗浄槽に供給する給水路は、ウォータフィルタが交換されたときに消毒されるが、給水路に残った過酢酸の臭気が装置の外に漏れてしまう。
【０００９】
換気口、換気扇等の換気設備は、室内の高い位置に設置されているのが一般的である。そのため、過酢酸の臭気に対応する特殊な換気設備は、設備費が高額になる。
【００１０】
過酢酸は、カタラーゼ等の分解酵素によって分解、消臭されることが知られている。そこで、内視鏡洗浄消毒装置においても簡便に分解酵素を使用できるようにすることが望まれている。
【００１１】
本発明の目的は、分解酵素を簡単に使用できるようにして、内視鏡洗浄消毒装置から漏れる過酢酸の臭気を少なくすることにある。
【課題を解決するための手段】
【００１２】
本発明の内視鏡洗浄消毒装置は、過酢酸を分解する分解液を収容したカートリッジが投入されるカートリッジ投入手段を備えている。カートリッジ投入手段と、洗浄槽を含む装置本体内の所定部位とを分解液供給路で接続し、分解液供給手段によって、カートリッジ投入手段から分解液供給路に分解液が流れるようにしている。分解液供給手段は、分解液供給制御手段の制御により作動され、分解液供給路から装置本体内に分解液を供給している。
【００１３】
分解液供給路は、カートリッジ投入手段と洗浄槽とを接続している。分解液供給制御手段は、内視鏡の消毒が完了し、洗浄槽から過酢酸が排出された後に分解液供給手段を作動させ、分解液供給路から洗浄槽内に分解液を供給させている。
【００１４】
別の分解液供給路は、カートリッジ投入手段と、過酢酸が貯えられている消毒液タンクとを接続している。分解液供給制御手段は、消毒液タンクから過酢酸が排出される際に分解液供給手段を作動させ、分解液供給路から消毒液タンク内に分解液を供給させている。
【００１５】
更に別の分解液供給路は、カートリッジ投入手段と、洗浄槽に水を供給する給水路とを接続している。分解液供給制御手段は、給水路の消毒後に分解液供給手段を作動させ、分解液供給路から給水路内に分解液を供給させている。
【００１６】
更にまた別の分解液供給路は、カートリッジ投入手段と、装置本体にセットされる過酢酸供給ボトルとを接続している。分解液供給制御手段は、過酢酸供給ボトル内の過酢酸が消毒液タンクに供給された後に分解液供給手段を作動させ、分解液供給路から過酢酸供給ボトル内に分解液を供給させている。
【００１７】
本発明の内視鏡洗浄消毒方法は、カートリッジ投入手段に投入されたカートリッジから過酢酸を分解する分解液を取り出し、洗浄槽を含む装置本体内で過酢酸が残っている所定部位に分解液を供給し、過酢酸の臭気を消臭する消臭工程を備えている。
【００１８】
消臭工程では、内視鏡の消毒が完了し、洗浄槽から過酢酸が排出された後に、洗浄槽内に分解液を供給してもよい。
【００１９】
別の消臭工程では、過酢酸が貯えられている消毒液タンクから過酢酸を排出する際に、消毒液タンク内に分解液を供給してもよい。
【００２０】
更にまた別の消臭工程では、内視鏡の洗浄に用いられる水を洗浄槽に供給する給水路の消毒後に、給水路内に分解液を供給してもよい。
【００２１】
更に別の消臭工程では、装置本体にセットされた過酢酸供給ボトルから消毒液タンク内に過酢酸が供給された後に、過酢酸供給ボトル内に分解液を供給してもよい。
【発明の効果】
【００２２】
本発明によれば、内視鏡の消毒完了後、または過酢酸の排出時、あるいは給水路の消毒後、過酢酸供給ボトル内に残った過酢酸等、過酢酸の臭気が装置の外部に漏れやすい所定部位に分解液を供給することができる。これにより、過酢酸を分解液で分解して臭気を消臭することができる。また、排出する過酢酸を分解することができるので、環境負荷を小さくすることができる。
【００２３】
カートリッジを投入するか否かによって、分解液の使用または不使用を選択することができるので、複雑な操作を必要とせず簡便である。また、分解液の専用タンクを装置内に設ける場合と比較して、装置の小型化が可能である。仮に、臭気の少ない、または無臭の過酢酸が供給された場合に分解液素は不用になるが、分解液の専用タンクを設けていないので、邪魔、または無駄になる部品が少ない。
【発明を実施するための最良の形態】
【００２４】
図１に示す内視鏡１０は、本発明の内視鏡洗浄消毒装置によって洗浄、消毒される内視鏡の一例である。内視鏡１０は、生体の体腔内に挿入される挿入部１１と、挿入部１１を操作する操作部１２とを備えている。
【００２５】
挿入部１１は、断面が円形の棒状体であり、可撓性を有している。挿入部１１の先端には、体腔内を照明する照明部と、体腔内を撮影する撮影部（図示せず）とが設けられている。挿入部１１内には、挿入部１１の先端から一端が露呈されている送気・送水チャンネル１５、及び鉗子チャンネル１６が設けられている。鉗子チャンネル１６には、吸引チャンネル１７が接続されている。
【００２６】
操作部１２には、鉗子口２０、送気・送水ボタン２１、吸引ボタン２２が設けられている。鉗子口２０には、使用時に取り外される鉗子口キャップ２３が嵌合されている。送気・送水ボタン２１及び吸引ボタン２２は、装着口１２ａ，１２ｂに着脱自在に取り付けられている。鉗子口キャップ２３、送気・送水ボタン２１及び吸引ボタン２２は、内視鏡１０の洗浄時に操作部１２から取り外される。
【００２７】
操作部１２に接続されたユニバーサルコード２５及びコネクタ部２６内には、送気・送水チャンネル１５及び吸引チャンネル１７と、照明部及び撮影部の配線が組み込まれている。コネクタ部２６には、配線を光源装置やビデオプロセッサに接続する接点部が設けられている。内視鏡１０の洗浄時には、接点部を隠して防水する防水キャップ２７（図４参照）が、コネクタ部２６に装着される。
【００２８】
図２に示す内視鏡洗浄消毒装置（以下、装置と呼ぶ）２８は、箱状の装置本体３０を備えている。装置本体３０の上面には、使用後の内視鏡１０が収容される洗浄槽３１が設けられている。洗浄槽３１は、上部が開放された水槽であり、例えばステンレス等の耐熱性、耐蝕性等に優れた金属板で形成されている。
【００２９】
装置本体３０の上面手前には、操作パネル３３及び表示パネル３４が配されている。操作パネル３３は、内視鏡１０の洗浄、消毒に関する各種設定や、洗浄及び消毒の開始または停止等を指示するための多数のボタンからなる。表示パネル３４には、例えば液晶ディスプレイ（ＬＣＤ）が用いられ、各種設定画面、各工程の残り時間、トラブル発生時の警告メッセージ等が表示される。
【００３０】
装置本体３０の前面には、開閉自在なボトル収納トレイ３６が設けられている。ボトル収納トレイ３６内には、内視鏡１０の消毒に使用される消毒液として濃縮された過酢酸を供給する専用の過酢酸供給ボトルが収納されている。過酢酸供給ボトルは、濃縮過酢酸を貯えた状態で提供され、ボトル収納トレイ３６内に収納される。過酢酸供給ボトルは、装置本体３０に内蔵された消毒液タンクに接続され、濃縮過酢酸を消毒液タンク内に供給する。
【００３１】
ボトル収納トレイ３６の側方には、同様に開閉自在な薬液トレイ３８が設けられている。薬液トレイ３８内には、洗剤タンク、アルコールタンクが収納されている。洗剤タンクには、内視鏡１０の洗浄に使用される洗剤が貯えられている。アルコールタンクには、内視鏡１０の洗浄、消毒後に各チャンネル内に流されるアルコールが貯えられている。
【００３２】
装置本体３０の一方の側面には、箱状のカートリッジ投入部４０が設けられている。カートリッジ投入部４０には、カートリッジ４１が投入される投入口４２と、この投入口４２を開閉する蓋４３が設けられている。蓋４３の内面には、尖った先端を有するカートリッジ開放突起４４が設けられている。
【００３３】
カートリッジ投入部４０内には、カートリッジ４１が投入されたことを検出するカートリッジ検出センサ４６が設けられている。カートリッジ検出センサ４６には、例えば防水性を有する光学センサ等が用いられている。カートリッジ投入部４０内の装置本体３０側の側面には、カートリッジ投入部４０内に水を供給する給水口４７と、給水した水を排水する排水口４８とが設けられている。
【００３４】
図３に示すように、カートリッジ４１は、例えば、紙パックやプラスチックフイルム等からなるカートリッジ本体４１ａと、カートリッジ本体４１ａ内に収容されている分解液５０とから構成されている。カートリッジ開放突起４４は、蓋４３が閉じられたときにカートリッジ本体４１ａに突き刺さり、カートリッジ本体４１ａを裂開して分解液５０を漏出させる。
【００３５】
分解液５０には、例えばカタラーゼが使用されている。過酢酸は、過酸化水素と酢酸の平衡反応により存在している。カタラーゼは、過酢酸に含まれる過酸化水素を水と酸素に分解することにより、二次的に過酢酸を過酸化水素と酢酸に分解する。カタラーゼにより過酢酸を分解することにより、酢酸の臭気は残るものの、作業環境を悪化させる非常に強い臭気は消臭される。
【００３６】
カートリッジ４１に収容される分解液５０の量は、１回の使用に必要な量でもよいし、複数回分の使用量でもよい。複数回の使用量分の分解液５０を収容する場合には、分解液５０が小量ずつ漏出される構造をカートリッジ本体４０ａに設けることが好ましい。
【００３７】
装置本体３０の上面には、洗浄槽３１を開閉するトップカバー５２が設けられている。トップカバー５２は、例えばプラスチックで形成された略矩形の板状体であり、装置本体３０の上面に設けられたヒンジ５３に一辺が軸支されている。トップカバー５２は、内視鏡１０の洗浄、消毒時に閉じられて洗浄槽３１の上部を覆う。トップカバー５２の上面は、透明なのぞき窓となっており、洗浄や消毒の様子を視認することが可能である。詳しくは図示しないが、トップカバー５２には、閉じ位置でロックするためのロック機構が設けられている。
【００３８】
洗浄槽３１内には、内視鏡１０の洗浄、消毒に用いる液体を洗浄槽３１内に供給する供給ポート５５が設けられている。供給ポート５５には、洗浄槽３１内に向けて屈曲された給水ノズル５６、洗剤供給ノズル５７、消毒液供給ノズル５８が設けられている。これらのノズル５６〜５８は、洗浄槽３１内に貯えられる液体の液面よりも高い位置に配置されている。トップカバー５２には、供給ポート５５を収容する突出部５２ａが設けられている。
【００３９】
給水ノズル５６は、洗浄槽３１内に水を供給する。洗剤供給ノズル５７は、洗剤タンク内に貯えられている洗剤を洗浄槽３１内に供給する。消毒液供給ノズル５８は、消毒液タンク内に貯えられている消毒液を洗浄槽３１内に供給する。使用後の内視鏡１０に付着している体液や汚物は、水と洗剤とが混合された洗浄液により洗い流される。洗浄液で洗い流されなかった病原菌やウイルスは、消毒液により除去され、または病原性が消失される。
【００４０】
図４に示すように、洗浄槽３１の内側面３１ａには、内視鏡１０の送気・送水チャンネル１５、鉗子チャンネル１６及び吸引チャンネル１７内の洗浄、消毒に用いられるチャンネル洗浄ポート６０が設けられている。チャンネル洗浄ポート６０には、送気・送水チャンネル用カプラ６１、吸引チャンネル用カプラ６２、鉗子チャンネル用カプラ６３が設けられている。
【００４１】
洗浄槽３１に収容された内視鏡１０は、柔軟性を有するチューブ６５〜６７によって、装着口１２ａ，１２ｂ及び鉗子口２０が各カプラ６１〜６３に接続されている。各カプラ６１〜６３からは、水、洗浄液、消毒液、アルコール、及び圧縮エア等の気体及び液体が、送気・送水チャンネル１５、鉗子チャンネル１６及び吸引チャンネル１７内に供給される。
【００４２】
洗浄槽３１の内側面３１ｂには、内視鏡１０の気密試験に用いられる気密試験ポート６９が設けられている。気密試験ポート６９には、圧縮エアを供給するチューブカプラ６９ａが設けられている。チューブカプラ６９ａには、柔軟性を有するチューブが装着される。チューブは、コネクタ部２６に装着された防水キャップ２７に接続される。また、内側面３１ｃには、通気孔７０が設けられている。
【００４３】
洗浄槽３１の底面３１ｄの中央には、小物洗浄かご７２が取り付けられている。小物洗浄かご７２は、例えば上部が開口された円形のかごであり、内視鏡１０の操作部１２から取り外された送気・送水ボタン２１、吸引ボタン２２、鉗子口キャップ２３等の小物部品が収容される。小物洗浄かご７２の下には、小物洗浄かご７２内に水、洗浄液、消毒液等を噴射するかご用ノズル７３が設けられている。また、底面３１ｄの角部には、廃液口７４が設けられている。廃液口７４は、洗浄槽３１から使用済みの水、洗浄液、消毒液を排出する。
【００４４】
図５は、装置本体３０内の配管系統を示している。洗浄槽３１の下面には、ラバーヒータ７６が取り付けられている。ラバーヒータ７６は、洗浄槽３１を介して、洗浄槽３１内に貯えられた洗浄液または消毒液を加熱する。洗浄槽３１内には、洗浄液または消毒液の温度を計測する温度センサ（ＴＥ）７７と、液面を検出する液面センサ（ＬＳ）７８とが設けられている。液面センサ７８は、例えば液面に応じてフロートが上下動するフロート式レベルセンサが用いられる。
【００４５】
通気孔７０には、洗浄槽３１内に供給された消毒液の臭気を活性炭によって消臭するエアフィルタ（以下、ＡＦと省略する）８０が設けられている。
【００４６】
給水ノズル５６には、水、洗浄液、消毒液が流される給液路８２が接続されている。給液路８２の他端は、電動三方弁８３の一端に接続されている。電動三方弁８３の他端には、給水路８４が接続されている。
【００４７】
給水路８４は、装置本体３０の外部に露呈されて水道水の蛇口に接続されている。給水路８４には、蛇口に接続される側から電磁弁８６、ウォータフィルタ（ＷＦ）８７が設けられている。電磁弁８６は、給水路８４に対する水道水の供給／停止を切り換える。ＷＦ８７は、水道水に含まれる異物や細菌を捕捉する。電動三方弁８３は、洗浄槽３１内に水を供給する際に、給液路８２と給水路８４とを接続する。
【００４８】
給水路８４には、給水路８４と並行するように設けられた分解液供給路８９の両端が、電磁弁８６の１次側と２次側とに接続されている。分解液供給路８９には、電磁弁９０と、カートリッジ投入部４０とが接続されている。電磁弁９０の２次側は、カートリッジ投入部４０の給水口４７に接続されている。排水口４８は、分解液供給路８９によりＷＦ８７の１次側に接続されている。
【００４９】
洗剤供給ノズル５７には、洗剤供給路９２が接続されている。洗剤供給路９２の他端は、洗剤（例えば、液状酵素洗剤等）９３が貯えられた洗剤タンク９４に接続されている。洗剤供給路９２には、ウォータポンプ（以下、ＷＰと省略する）９５が設けられている。ＷＰ９５は、洗剤タンク９４内の洗剤９３を吸引し、洗剤供給ノズル５７から吐出させる。
【００５０】
消毒液供給ノズル５８には、消毒液供給路９７が接続されている。消毒液供給路９７の他端は、消毒液９８が貯えられた消毒液タンク９９に接続されている。消毒液供給路９７には、消毒液９８を吸引して消毒液供給ノズル５８から吐出させるＷＰ１００が設けられている。
【００５１】
消毒液タンク９９には、使用済みの消毒液９８を排出する排出路９９ａと、通気孔９９ｂとが設けられている。排出路９９ａには、電磁弁１０１が設けられている。通気孔９９ｂには、消毒液９８の臭気を活性炭で消臭するＡＦ１０２が設けられている。
【００５２】
消毒液９８には、高水準消毒剤である過酢酸が用いられている。過酢酸は、人体への毒性が低い、残留性が低く環境負荷が小さい、タンパク汚れの凝固、蓄積がない、芽胞に対しても効果がある等の優れた特性を有している。また、過酢酸には、非常に強い臭気がある。
【００５３】
消毒液タンク９９には、消毒液タンク９９内に連通された消毒液注入路９９ｃが設けられている。ボトル収納トレイ３６に収納された過酢酸供給ボトル１０９は、その注ぎ口１０９ａが消毒液注入路９９ｃに接続される。過酢酸供給ボトル１０９内に収容された濃縮過酢酸は、消毒液注入路９９ｃを通って消毒液タンク９９内に供給される。
【００５４】
廃液口７４には、下流側で分岐している廃液路１０３が接続されている。分岐された一方の第１廃液路１０４は、内視鏡１０の洗浄で使用された洗浄液、水をＷＰ１０５によって装置本体３０の外に排出する。他方の第２廃液路１０６は、内視鏡１０の消毒に使用された消毒液９８を消毒液タンク９９に戻す。消毒液９８は、数回の使用では消毒効果が消失しないので、消毒液タンク９９に戻されて繰り返し使用される。第１廃液路１０４及び第２廃液路１０６は、各々に設けられた電磁弁１０７、１０８の開閉により切り換えられる。
【００５５】
第１廃液路１０４には、ＷＰ１０５の２次側に電動三方弁１１０が接続されている。電動三方弁１１０と、ＷＦ８７の１次側との間には、給水用消毒路１１１が接続されている。電動三方弁１１０は、内視鏡１０の洗浄に使用された洗浄液、水を装置本体３０の外に排出する際に第１廃液路１０４を導通させる。また、ＷＦ８７の交換後に給水路８４を消毒するときには、電動三方弁１１０は、第１廃液路１０４と給水用消毒路１１１とを接続させる。
【００５６】
第２廃液路１０６には、給水路８４から分岐した希釈路１１３が接続されている。希釈路１１３には、電磁弁１１４が接続されている。希釈路１１３は、第２廃液路１０６を介して消毒液タンク９９内に水を供給し、過酢酸供給ボトル１０９から供給された濃縮過酢酸を内視鏡１０の消毒に適した濃度まで希釈する。
【００５７】
廃液口７４には、洗浄槽３１に貯えられた洗浄液、消毒液９８、水を循環させる循環路１１６も接続されている。循環路１１６は、下流側で第１循環路１１７と第２循環路１１８とに分岐している。第１循環路１１７には、洗浄槽３１内の液体を吸引するＷＰ１１９が設けられている。第１循環路１１７は、電動三方弁８３に接続されている。電動三方弁８３は、洗浄槽３１に貯えられた液体を循環させる際に、第１循環路１１７と給液路８２とを接続する。
【００５８】
第２循環路１１８には、ＷＰ１２１と、液体及び気体の逆流を防止する逆止弁１２２とが設けられている。第２循環路１１８は、四方コネクタ１２３の一端に接続されている。四方コネクタ１２３の他端には、チャンネル洗浄路１２４が接続されている。チャンネル洗浄路１２４には、電磁弁１２５〜１２８が設けられた送気・送水路１２９〜１３２がそれぞれ接続されている。各送気・送水路１２９〜１３２は、チャンネル洗浄ポート６０の各カプラ６１〜６３と、かご用ノズル７３とに接続されている。
【００５９】
四方コネクタ１２３の別の他端には、送気路１３４が接続されている。送気路１３４には、エアポンプ（以下、ＡＰと省略する）１３５と、２つのＡＦ１３６、１３７と、逆止弁１３８とが設けられている。ＡＰ１３５は、２つのＡＦ１３６、１３７により異物や細菌が捕捉された清浄な空気を圧縮し、この圧縮エアを各チャンネル内に送風する。
【００６０】
四方コネクタ１２３の更に別の他端には、アルコール供給路１３９が接続されている。アルコール供給路１３９の端部は、アルコール１４０が貯えられたアルコールタンク１４１に接続されている。アルコール供給路１３９には、アルコールタンク１４１内に貯えられているアルコール１４０を吸引するＷＰ１４２と、電磁弁１４３とが設けられている。
【００６１】
気密試験ポート６９には、試験送気路１４４が接続されている。試験送気路１４４には、外気から異物を捕捉するＡＦ１４５と、異物が捕捉された清浄な空気を圧縮して試験送気路１４４に送気するＡＰ１４６とが設けられている。
【００６２】
図６に示すように、装置２８は、装置全体を統括的に制御するＣＰＵ１４８と、制御プログラムや各種データが記憶されたＲＯＭ１４９と、ＲＯＭ１４９から読み出された制御プログラムの実行領域であるＲＡＭ１５０とを備えている。ＣＰＵ１４８には、表示パネル３４を駆動するＬＣＤドライバ１５１、各電磁弁を駆動する弁ドライバ１５２、電動三方弁８３を駆動するモータドライバ１５３等が接続されている。また、各ＷＰを駆動するＷＰドライバ１５４、各ＡＰを駆動するＡＰドライバ１５５、ラバーヒータ７６を駆動するヒータドライバ１５６等もＣＰＵ１４８に接続されている。カートリッジ検出センサ４６は、カートリッジ４１を検出したときに検出信号をＣＰＵ１４８に入力する。
【００６３】
図７のフローチャートを参照して、内視鏡１０を洗浄、消毒する際に実施される各工程について説明する。内視鏡１０は、検査終了後すぐにシンク等で水洗い（予備洗浄）され、付着している汚物等が乾燥して落ちにくくなる前に洗い流される。なお、予備洗浄後すぐに内視鏡１０の洗浄を行えるように、装置２８の電源をオンしておくことが好ましい。
【００６４】
内視鏡１０の操作部１２から送気・送水ボタン２１、吸引ボタン２２、鉗子口キャップ２３等の小物部品が取り外され、小物洗浄かご７２に収容される。操作部１２は、装着口１２ａ，１２ｂがチャンネル洗浄ポート６０に対面するように洗浄槽３１内に収容される。挿入部１１は、小物洗浄かご７２の外周に環状に巻かれて載置される。コネクタ部２６は、防水キャップ２７が装着されて気密試験ポート６９の近傍に載置される。
【００６５】
チャンネル洗浄ポート６０の送気・送水チャンネル用カプラ６１、吸引チャンネル用カプラ６２、鉗子チャンネル用カプラ６３には、チューブ６５〜６７がそれぞれ取り付けられる。チューブ６５〜６７は、内視鏡１０の送気・送水ボタンの装着口１２ａ、吸引ボタンの装着口１２ｂ、鉗子口２０にそれぞれ接続される。内視鏡１０の洗浄槽３１への収容後、トップカバー５２が閉じられる。
【００６６】
内視鏡１０の消毒工程後に洗浄槽３１内を消臭する消臭工程を行う場合には、カートリッジ投入部４０にカートリッジ４１が投入される。カートリッジ投入部４０にカートリッジ４１を投入して蓋４３を閉じると、カートリッジ開放突起４４がカートリッジ本体４１ａに突き刺さり、カートリッジ本体４１ａが裂開される。裂開されたカートリッジ本体４１ａから分解液５０がカートリッジ投入部４０内に漏出する。
【００６７】
装置２８は、内視鏡１０を洗浄、消毒する洗浄消毒モード、消毒効果が消失した消毒液を排出する消毒液排出モード、給水路のウォータフィルタ交換後に行われる給水路消毒モード等、複数の動作モード等を備えている。操作パネル３３が操作され、洗浄消毒モードが選択されると、内視鏡１０を洗浄する洗浄工程が開始される。
【００６８】
ＣＰＵ１４８は、弁ドライバ１５２を制御して電磁弁８６を開く。ＣＰＵ１４８は、モータドライバ１５３を制御して電動三方弁８３を切り換え、給液路８２と給水路８４とを接続させる。水道管からの水圧によって給水路８４を流れた水は、ＷＦ８７により清浄化される。給水路８４を経て給液路８２に流れた水は、給水ノズル５６から洗浄槽３１内に噴射される。
【００６９】
ＣＰＵ１４８は、洗浄槽３１への給水開始と同時にＷＰ９５を駆動させ、洗剤供給ノズル５７から所定量の洗剤９３を洗浄槽３１内に吐出させる。洗浄槽３１内には、水と洗剤９３とが混合された洗浄液が生成される。
【００７０】
ＣＰＵ１４８は、液面センサ７８により洗浄槽３１内の水の液面位置を検出する。ＣＰＵ１４８は、水の液面が予め設定されている所定位置に達したときに電磁弁８６を閉じて給水を停止させる。
【００７１】
ＣＰＵ１４８は、ヒータドライバ１５６を制御してラバーヒータ７６を駆動させる。ラバーヒータ７６の熱は、洗浄槽３１を介して洗浄液に伝達される。洗浄液の温度は、温度センサ７７により検出される。ＣＰＵ１４８は、洗浄液が所定の温度を保つようにラバーヒータ７６を制御する。
【００７２】
ＣＰＵ１４８は、電動三方弁８３を切り換えて給液路８２と第１循環路１１７とを接続し、ＷＰ１１９を駆動させる。廃液口７４に排出された洗浄液は、循環路１１６、第１循環路１１７、給液路８２を流れ、給水ノズル５６によって内視鏡１０に向けて噴射される。内視鏡１０の外表面に付着した体液や汚物は、噴射された洗浄液の衝撃と、循環時の渦流によって洗い流される。洗浄液の循環により洗剤の濃度勾配が平準化されるため、洗浄槽３１内の全域で同じ洗浄力を得ることができる。
【００７３】
ＣＰＵ１４８は、ＷＰ１２１を駆動させる。洗浄槽３１内の洗浄液は、循環路１１６を経て第２循環路１１８にも流れ込む。洗浄液は、チャンネル洗浄路１２４、各送液・送気路１２９〜１３２、チャンネル洗浄ポート６０の各カプラ６１〜６３、チューブ６５〜６７を流れ、内視鏡１０の送気・送水チャンネル１５、鉗子チャンネル１６及び吸引チャンネル１７内を洗浄する。
【００７４】
ＣＰＵ１４８は、所定時間の経過後に電磁弁１０７を開いてＷＰ１０５を駆動させる。電動三方弁１１０は、第１廃液路１０４を導通させる状態に切り換えられている。洗浄液は、廃液口７４、廃液路１０３、第１廃液路１０４を流れて装置本体３０の外に排出される。なお、循環路１１６等の内部に洗浄液が残らないようにするため、ＷＰ１１９、１２１は洗浄液の排出終了後に駆動が停止される。
【００７５】
洗浄液を内視鏡１０から除去するため、すすぎ工程が実施される。ＣＰＵ１４８は、洗浄槽３１内に所定量の水を供給し、この水を循環させて内視鏡１０の外表面と各チャンネル内に付着した洗浄液を除去する。水の供給、すすぎ後の水の排出は、洗浄工程と同じなので詳しい説明は省略する。
【００７６】
すすぎ工程の終了後、内視鏡１０を消毒する消毒工程が開始される。ＣＰＵ１４８は、ＷＰ１００を駆動させ、洗浄槽３１内に消毒液（過酢酸）９８を供給する。ＣＰＵ１４８は、液面センサ７８により消毒液９８の液面位置を検出し、液面が所定の位置に達したときにＷＰ１００を停止させる。
【００７７】
ＣＰＵ１４８は、ラバーヒータ７６及び温度センサ７７を用いて消毒液９８を所定の温度まで加熱する。ＣＰＵ１４８は、消毒液９８の加熱後、ＷＰ１１９、１２１を駆動させ、洗浄槽３１内と、各チャンネル内で消毒液９８を循環させる。内視鏡１０の外表面と各チャンネルは、消毒液９８に浸漬されて消毒される。ＣＰＵ１４８は、所定時間の経過後に電磁弁１０８を開き、消毒液９８を消毒液タンク９９に戻す。消毒工程の終了後、内視鏡１０から消毒液９８を除去するすすぎ工程が再び実施される。
【００７８】
ＣＰＵ１４８は、すすぎ工程の終了後、カートリッジ検出センサ４６の検出信号を確認する。カートリッジ検出センサ４６から検出信号が入力されているとき、すなわち、カートリッジ投入部４０にカートリッジ４１が投入されているときには、すすぎ工程後に消臭工程を行う。また、すすぎ工程の終了時にカートリッジ検出センサ４６から検出信号が入力されていないときには、消臭工程を行わずに乾燥工程が行われる。
【００７９】
次に、消臭工程について説明する。ＣＰＵ１４８は、電磁弁９０を開き、電動三方弁８３により給水路８４と給液路８２とを接続する。図８に示すように、水道管からの水圧によって分解液供給路８９に流れた水は、カートリッジ投入部４０を満たし、カートリッジ投入部４０内の分解液５０を混合させる。分解液５０が混合された水は、カートリッジ投入部４０から給水路８４に流れ込み、給液路８２及び給水ノズル５６を経て洗浄槽３１内に供給される。
【００８０】
ＣＰＵ１４８は、液面センサ７８により洗浄槽３１内の水の供給量を検出する。所定量の水が供給されたときに、電磁弁９０を閉じる。ＣＰＵ１４８は、電動三方弁８３により、給液路８２と第１循環路１１７とを接続させ、ＷＰ１１９、１２１を駆動させる。
【００８１】
洗浄槽３１内に貯えられている水は、循環路１１６、第１循環路１１７、給液路８２を通って洗浄槽３１に循環される。また、第２循環路１１８に供給された水は、チャンネル洗浄路１２４、各送気・送水路１２９〜１３２、チューブ６５〜６７、内視鏡１０の送気・送水チャンネル１５、鉗子チャンネル１６及び吸引チャンネル１７を通って洗浄槽３１に循環される。水に混合されている分解液５０は、洗浄槽３１と各供給路等の中に残っている消毒液９８とその臭気成分を分解し、過酢酸の非常に強い臭気を消臭する。
【００８２】
消臭工程での水の循環は、消毒液９８の消臭に必要な所定の時間だけ実施される。所定時間の経過後、ＣＰＵ１４８は、電磁弁１０７を開いてＷＰ１０５を駆動させ、分解液５０が混合された水を排出する。また、ＣＰＵ１４８は、水の排出完了後にＷＰ１１９、１２１を停止させる。
【００８３】
消臭工程の終了後、内視鏡１０の各チャンネル内を乾燥させる乾燥工程が開始される。ＣＰＵ１４８は、ＡＰ１３５を駆動させて内視鏡１０の各チャンネル内に圧縮エアを送風させる。各チャンネル内に付着していた水滴は、圧縮エアにより除去される。ＣＰＵ１４８は、ＷＰ１４２を駆動させて、各チャンネル内にアルコール１４０を流す。内視鏡１０の各チャンネル内は、アルコール１４０の蒸発により乾燥される。
【００８４】
乾燥工程の終了後、トップカバー５２が開放されて洗浄槽３１から内視鏡１０が取り出される。従来の内視鏡洗浄消毒装置では、洗浄槽及び各供給路内に残った過酢酸の臭気が装置外に漏れて作業環境が悪化していた。本発明では、消臭工程で洗浄槽３１内等に残っていた過酢酸の臭気が消臭されているので、作業環境が悪化することはない。また、装置２８が設置される部屋に特殊な換気設備を設ける必要がないので、設備費を削減することができる。また、消臭工程を行うか否かは、カートリッジ４１の投入により設定することができるので非常に簡便である。
【００８５】
次に、消毒液排出モードについて説明する。消毒液排出モードは、消毒液タンク９９内の消毒液９８を分解する分解工程と、消毒液９８を消毒液タンク９９から排出する排出工程とを備えている。分解工程は、カートリッジ投入部４０にカートリッジ４１が投入されているときにのみ実行される。消毒液排出モードは、洗浄消毒モードと同様に操作パネル３３の操作により選択される。
【００８６】
図９に示すように、ＣＰＵ１４８は、カートリッジ検出センサ４６の検出信号を確認する。カートリッジ検出センサ４６から検出信号が入力されているとき、すなわち、カートリッジ投入部４０にカートリッジ４１が投入されているときには、排出工程の前に分解工程が行われる。カートリッジ検出センサ４６から検出信号が入力されていないときには、分解工程を行わずに排出工程が行われる。
【００８７】
分解工程について説明する。ＣＰＵ１４８は、電磁弁９０を開き、電動三方弁８３により給水路８４と給液路８２とを接続して、洗浄槽３１内に分解液５０が混合された所定量の水を供給する。ＣＰＵ１４８は、電磁弁１０８を開き、分解液５０が混合された水を消毒液タンク９９に流し込む。過酢酸である消毒液８９は、分解液５０により過酸化水素と酢酸とに分解される。
【００８８】
分解液５０により消毒液９８が分解される所定時間の待機後、排出工程が行われる。排出工程では、排出路９９ａの電磁弁１０１が開放され、消毒液９８が装置本体３０の外に排出される。消毒液９８は、分解液５０により分解されて過酢酸ではなくなっているので、作業環境が悪化するような臭気は発生せず、環境負荷も小さい。分解工程を行うか否かは、カートリッジ４１の投入により設定することができるので、非常に簡便である。
【００８９】
次に、給水路消毒モードについて説明する。ＷＦ８７の交換時には、異物や雑菌が除去されていない水が給水路８４内を流れてしまうので、ＷＦ８７の交換後に給水路８４の消毒を行う必要がある。給水路消毒モードは、給水路８４を消毒する給水路消毒工程と、給水路８４から消毒液９８の臭気を消臭する給水路消臭工程とを備えている。給水路消臭工程は、カートリッジ投入部４０にカートリッジ４１が投入されているときにのみ実行される。給水路消毒モードも、上記各モードと同様に操作パネル３３の操作により選択される。
【００９０】
給水路消毒工程について説明する。図１０に示すように、ＣＰＵ１４８は、ＷＰ１００を駆動させ、所定量の消毒液９８を洗浄槽３１内に供給する。消毒液９８の供給後、ＣＰＵ１４８は電磁弁１０７を開き、電動三方弁１１０により第１廃液路１０４と給水用消毒路１１１とを接続する。また、電動三方弁８３により給液路８２と給水路８４とを接続し、ＷＰ１０５を駆動させる。廃液口７４から排出された消毒液９８は、廃液路１０３、第１廃液路１０４、給水用消毒路１１１、給水路８４、給液路８２、洗浄槽３１を通って循環し、給水路８４を消毒する。給水路消毒工程の終了後、消毒液９８は消毒液タンク９９に戻される。
【００９１】
ＣＰＵ１４８は、カートリッジ検出センサ４６の検出信号を確認する。カートリッジ検出センサ４６から検出信号が入力されているとき、すなわち、カートリッジ投入部４０にカートリッジ４１が投入されているときには、給水路消臭工程を行う。また、カートリッジ検出センサ４６から検出信号が入力されていないときには、給水路消臭工程を行わずに給水路消毒モードが終了される。
【００９２】
給水路消臭工程について説明する。ＣＰＵ１４８は、電磁弁９０を開き、電動三方弁８３により給水路８４と給液路８２とを接続して、洗浄槽３１内に分解液５０が混合された所定量の水を供給する。
【００９３】
ＣＰＵ１４８は、給水路消毒工程と同様に、電磁弁１０７を開き、電動三方弁１１０により第１廃液路１０４と給水用消毒路１１１とを接続する。また、電動三方弁８３により給液路８２と給水路８４とを接続し、ＷＰ１０５を駆動させる。廃液口７４から排出された水は、廃液路１０３、第１廃液路１０４、給水用消毒路１１１、給水路８４、給液路８２、洗浄槽３１を通って循環する。これにより、給水路消毒工程で消毒液９８が流された供給路が消臭される。
【００９４】
給水路消臭工程で使用された水は、電動三方弁１１０によって第１廃液路１０４が導通されることにより、装置本体３０の外に排出される。給水路消臭工程を行うか否かは、カートリッジ４１の投入により設定することができるので非常に簡便である。
【００９５】
過酢酸供給ボトル１０９内に残った濃縮過酢酸を分解液５０で分解してもよい。以下、過酢酸供給ボトル１０９内の濃縮過酢酸を分解する実施形態について説明する。
【００９６】
図１１に示すように、消毒液注入路９９ｃの近傍に分解液供給ノズル１６０を配置している。分解液供給ノズル１６０は、ボトル収納トレイ３６にセットされた過酢酸供給ボトル１０９が消毒液注入路９９ｃに接続される際に、注ぎ口１０９ａから過酢酸供給ボトル１０９内に挿入される。分解液供給ノズル１６０には、分解液供給路８９によってカートリッジ投入部４０が接続されている。
【００９７】
消毒液タンク９９内には、過酢酸供給ボトル１０９から供給された濃縮過酢酸１６３の量を検出する液体センサ１６４が設けられている。液体センサ１６４の検出信号は、ＣＰＵ１４８に入力される。
【００９８】
図１２に示すように、ＣＰＵ１４８は、液体センサ１６４によって過酢酸供給ボトル１０９内の濃縮過酢酸１６３が全て消毒液タンク９９内に供給されたことを検知し、電磁弁９０を開放させる。分解液供給路８９を通ってカートリッジ投入部４０内に供給された水は、分解液５０と混合する。分解液５０が混合された水は、分解液供給ノズル１６０を通って過酢酸供給ボトル１０９内に供給される。
【００９９】
これにより、過酢酸供給ボトル１０９内にわずかに残っている濃縮過酢酸１６３が分解されるので、装置本体３０の外に漏れる臭気を少なくすることができる。また、従来は、過酢酸供給ボトル１０９をボトル収納トレイ３６から取り外すときにボトル内が外気に曝されるので、最も臭気が強くなっていた。しかし、過酢酸供給ボトル１０９内の濃縮過酢酸１６３は、予め分解されているので、過酢酸供給ボトル１０９を取り外すときに濃縮過酢酸の臭気で作業環境が悪化することはない。なお、消毒液注入路９９ｃは、分解液５０が混合された水が流れ込まないような位置、あるいは構造であることが好ましい。
【０１００】
上記各実施形態では、カートリッジ投入部４０を１つしか設けていないが、分解液５０の投入先に応じて複数のカートリッジ投入部を設けてもよい。これによれば、洗浄消毒モードで使用する予定で投入されたカートリッジ４１が、給水路消毒モードで使用される等の誤使用を防止することができる。また、液状の分解酵素である分解液５０を用いたが、顆粒状の分解酵素を用いてもよい。
【０１０１】
上記実施形態では、１回しか使用できないワンタイムカートリッジを用いたが、繰り返し使用可能なカートリッジを用いてもよい。また、カートリッジの代わりにカプセルに分解酵素を収容してもよい。例えば、所定の時間、所定の温度、所定の薬品に反応して溶融するカプセルを使用すれば、所定のタイミングで所定の位置に分解酵素を供給することができる。
【０１０２】
内視鏡洗浄消毒装置には、装置内の全供給路内を消毒する供給路消毒モードを備えたものがあるが、この供給路消毒モードに消臭工程を設けてもよい。この消臭工程では、消毒液が流された全供給路内に分解液５０が混合された水を循環させ、消毒液９８の臭気を消臭するのが好ましい。
【図面の簡単な説明】
【０１０３】
【図１】内視鏡の構成例を示す平面図である。
【図２】本発明の内視鏡洗浄消毒装置の外観形状を示す斜視図である。
【図３】カートリッジ投入部及びカートリッジの断面図である。
【図４】洗浄槽の構成を示す平面図である。
【図５】装置本体内の概略的な配管系統を示す配管図である。
【図６】内視鏡洗浄消毒装置の電気的構成の一部を示すブロック図である。
【図７】洗浄消毒モードの工程順序を示すフローチャートである。
【図８】消臭工程の手順を示すフローチャートである。
【図９】消毒液排出モードの工程順序を示すフローチャートである。
【図１０】給水路消毒モードの工程順序を示すフローチャートである。
【図１１】過酢酸供給ボトル内に分解液を供給する配管系統を示す配管図である。
【図１２】過酢酸供給ボトルに分解液を供給する手順を示すフローチャートである。
【符号の説明】
【０１０４】
１０  内視鏡
２８  内視鏡洗浄消毒装置
３０  装置本体
３１  洗浄槽
４０  カートリッジ投入部
４１  カートリッジ
５０  分解液
５２  トップカバー
５５  供給ポート
８４  給水路
９８  消毒液
９９  消毒液タンク
１０９  過酢酸供給ボトル
【図１】
2009207741.tif 000003
【図２】
2009207741.tif 000004
【図３】
2009207741.tif 000005
【図４】
2009207741.tif 000006
【図５】
2009207741.tif 000007
【図６】
2009207741.tif 000008
【図７】
2009207741.tif 000009
【図８】
2009207741.tif 000010
【図９】
2009207741.tif 000011
【図１０】
2009207741.tif 000012
【図１１】
2009207741.tif 000013
【図１２】
2009207741.tif 000014